(57)【要約】【課題】  ある種類の情報を再生して発音している状態で、その情報の内容に関連する他の種類の情報をユーザの選択によって再生して発音する。【解決手段】  ＣＰＵ１は、インタフェース４によるオーディオデータの再生中に、スイッチ部６からのリンク選択スイッチの操作に応じて、リンク情報によって決定されるリンク先となる単語Ａの解説を再生するようにインタフェース４に対して指示し、インタフェース４による単語Ａの解説の再生中に、スイッチ部６からのリターンスイッチの操作に応じて又は単語Ａの解説の再生終了に応じて、リンク元となるオーディオデータを再生するようにインタフェース４に対して指示する。【選択図】  図１
2006107608.tif 000002
【特許請求の範囲】
【請求項１】
記録媒体の異なるエリアに記録されている第１の情報および第２の情報を再生して出力する第１の再生手段と、
前記第１の再生手段による前記第１の情報の再生に伴って当該第１の情報に含まれている特定の内容と前記第２の情報とを関連させるリンク情報を再生して出力する第２の再生手段と、
前記第１の再生手段による前記第１の情報の再生中に、所定の操作手段からの第１の変更操作に応じて、前記リンク情報によって決定されるリンク先となる前記第２の情報を再生するように前記第１の再生手段に対して指示し、前記第１の再生手段による前記第２の情報の再生中の前記操作手段からの第２の変更操作、および前記第１の再生手段による前記第２の情報の再生終了の少なくとも一方に応じて、リンク元となる前記第１の情報を再生するように前記第１の再生手段に対して指示する再生制御手段と、
を備えた情報再生装置。
【請求項２】
前記第１の情報は複数系統の情報で構成され、前記第２の再生手段は、前記第１の再生手段による前記第１の情報の再生に伴って各系統の情報にそれぞれ含まれている特定の内容と他のエリアに記録されている第２の情報とを一意に関連させる系統別のリンク情報を再生して出力し、前記再生制御手段は、前記第１の再生手段による前記第１の情報の再生中に１系統の第１の変更操作に応じて、当該１系統のリンク情報によって決定されるリンク先となる第２の情報を再生するように前記第１の再生手段に対して指示することを特徴とする請求項１に記載の情報再生装置。
【請求項３】
前記第１の再生手段は、同一の記録媒体に記録されている第１の情報および第２の情報を再生することを特徴とする請求項１に記載の情報再生装置。
【請求項４】
前記第１の再生手段は、それぞれ異なる記録媒体に記録されている第１の情報および第２の情報を再生することを特徴とする請求項１に記載の情報再生装置。
【請求項５】
前記再生制御手段は、前記第１の再生手段に対して前記第２の情報を再生するように指示したときは、前記第１の情報における特定のアドレスを記憶し、前記第１の再生手段に対して前記第１の情報を再生するように指示したときは、当該記憶したアドレスから再生するように指示することを特徴とする請求項１に記載の情報再生装置。
【請求項６】
前記第２の再生手段は、再生したリンク情報の有効区間を所定の表示手段に出力して表示させることを特徴とする請求項１に記載の情報再生装置。
【請求項７】
前記第２の再生手段は、再生したリンク情報の有効区間を所定の発音手段に出力して発音させることを特徴とする請求項１に記載の情報再生装置。
【請求項８】
前記第２の再生手段は、再生したリンク情報によって前記発音手段で発音中の前記第１の情報に効果音を付加して、再生したリンク情報の有効区間を通知することを特徴とする請求項７に記載の情報再生装置。
【請求項９】
記録媒体の異なるエリアに記録されている第１の情報および第２の情報を再生して出力する第１のステップと、
前記第１のステップによる前記第１の情報の再生に伴って当該第１の情報に含まれている特定の内容と前記第２の情報とを関連させるリンク情報を再生して出力する第２のステップと、
前記第１のステップによる前記第１の情報の再生中に、所定の操作手段からの第１の変更操作に応じて、前記リンク情報によって決定されるリンク先となる前記第２の情報を再生するように前記第１のステップに対して指示し、前記第１のステップによる前記第２の情報の再生中の前記操作手段からの第２の変更操作、および前記第１のステップによる前記第２の情報の再生終了の少なくとも一方に応じて、リンク元となる前記第１の情報を再生するように前記第１のステップに対して指示する第３のステップと、
を実行する情報再生処理のプログラム。
【請求項１０】
前記第１の情報は複数系統の情報で構成され、前記第２のステップは、前記第１のステップによる前記第１の情報の再生に伴って各系統の情報にそれぞれ含まれている特定の内容と他のエリアに記録されている第２の情報とを一意に関連させる系統別のリンク情報を再生して出力し、前記第３のステップは、前記第１のステップによる前記第１の情報の再生中に１系統の第１の変更操作に応じて、当該１系統のリンク情報によって決定されるリンク先となる第２の情報を再生するように前記第１のステップに対して指示することを特徴とする請求項９に記載の情報再生処理のプログラム。
【請求項１１】
前記第１のステップは、同一の記録媒体に記録されている前記第１の情報および前記第２の情報を再生することを特徴とする請求項９に記載の情報再生処理のプログラム。
【請求項１２】
前記第１のステップは、それぞれ異なる記録媒体に記録されている前記第１の情報および前記第２の情報を再生することを特徴とする請求項９に記載の情報再生処理のプログラム。
【請求項１３】
前記第４のステップは、前記第１のステップに対して前記第２の情報を再生するように指示したときは、前記第１の情報における特定のアドレスを所定の記憶手段に記憶し、前記第１のステップに対して前記第１の情報を再生するように指示したときは、当該記憶したアドレスから再生するように指示することを特徴とする請求項９に記載の情報再生処理のプログラム。
【請求項１４】
前記第２のステップは、再生したリンク情報の有効区間を所定の表示手段に出力して表示させることを特徴とする請求項９に記載の情報再生処理のプログラム。
【請求項１５】
前記第２のステップは、再生したリンク情報の有効区間を所定の発音手段に出力して発音させることを特徴とする請求項９に記載の情報再生処理のプログラム。
【請求項１６】
前記第２のステップは、前記発音手段で発音中の前記第１の情報に効果音を付加して、再生したリンク情報の有効区間を通知することを特徴とする請求項１５に記載の情報再生処理のプログラム。
【請求項１７】
第１の情報を記録した第１のエリアと、当該第１の情報の再生に伴って当該第１の情報に含まれている特定の内容と第２の情報とを関連させるリンク情報を記録している第２のエリアと、を有する記録媒体。
【請求項１８】
前記第２の情報を記録している第３のエリアを有することを特徴とする請求項１７に記載の記録媒体。
【請求項１９】
前記リンク情報は、前記第１の情報における特定の内容と他の記録媒体に記録されている前記第２の情報とをリンクさせていることを特徴とする請求項１７に記載の記録媒体。
【発明の詳細な説明】
【技術分野】
【０００１】
本発明は、情報再生装置および情報再生処理のプログラムおよび記録媒体に関するものである。
【背景技術】
【０００２】
磁気テープ、ＦＤ（フレキシブルディスク）、ＣＤ（コンパクトディスク）、ＭＤ（ミニディスク）などの記録媒体に記録されている情報を再生する情報再生装置は広く普及している。また、このような情報再生装置の機能を向上させる提案も多く公開されている。
ある提案の自動演奏装置は、ＣＤプレーヤ部および電子鍵盤楽器部で構成されている。ＣＤプレーヤ部は、オーディオエリアのＬチャンネルに例えばピアノのパートを除いたマイナスワンの曲のオーディオデータを録音し、Ｒチャンネルに例えばヴァイオリンのパートを除いたマイナスワンの曲のオーディオデータを録音し、サブコードエリアにその曲のピアノの自動演奏データとヴァイオリンの自動演奏データを記録したＣＤを再生する。電子鍵盤楽器部は、ＣＤプレーヤ部に対して、Ｌ又はＲチャンネルのオーディオエリアに記録されたマイナスワンのオーディオデータと、除かれたパートが記録されたサブコードエリアの自動演奏データを再生するように指令する。そして、再生されたＬ又はＲチャンネルのマイナスワンのオーディオデータを発音するとともに、再生された自動演奏データに基づいて、演奏ガイド又は自動演奏を行う。あるいは、Ｌ又はＲチャンネルのオーディオエリアに記録されたマイナスワンのオーディオデータのみを再生するように指令する。そして、再生されたＬ又はＲチャンネルのマイナスワンのオーディオデータを発音するとともに、演奏者が鍵盤によって除かれたパートを演奏する。したがって、あたかも、フルオーケストラをバックにした気分で、演奏ガイドに従ったマニュアル演奏、若しくは、演奏ガイドなしのマニュアル演奏、又は自動演奏ができる。（特許文献１参照）
【０００３】
また、ある提案のゲーム器の波形読出装置は、ＤＳＰ（ディジタル・シグナル・プロセッサ）と複数の楽音波形データを記録した波形ＲＯＭを含む構成になっている。この構成により、波形ＲＯＭから読み出した楽音波形データに基づいて、ＤＳＰにおいてディジタルの楽音信号を生成する。そして、ゲーム展開に応じて同じ楽音波形データを繰返し読み出したり、あるいは、異なった楽音波形データを連続して読み出したりする場合に、現在読み出している楽音波形データの読出完了から、即座に次の楽音波形データの読み出しを開始して、盛り上げたゲームの雰囲気を落とさないようにする。このため、波形ＲＯＭに記録された複数の楽音波形データの中から、いずれか１つの楽音波形データをリンク元として指定するとともに、他のいずれか１つの楽音波形データをリンク先として指定し、リンク元の楽音波形データの所定のアドレスを指定する。そして、リンク元の楽音波形データの読出アドレスが指定した所定のアドレスに到達した時点で、リンク先の楽音波形データの読み出しを開始する。（特許文献２参照）
【特許文献１】特開平３−３６５９９号公報
【特許文献２】特開２００４−３８０５３号公報
【発明の開示】
【発明が解決しようとする課題】
【０００４】
上記特許文献１においては、あるパートを除くマイナスワンのオーディオデータおよびそのパートだけの自動演奏データである２種類の情報を常に並行して発音する構成になっている。また、上記特許文献２においては、リンク元の楽音波形データおよびリンク先の楽音波形データである２種類の情報を常に連続して発音する構成になっている。ところが、楽音データや音声データなどのある種類の情報を再生して発音している状態で、その情報の内容に関連する他の種類の情報を常時再生せずに、必要に応じて再生して発音したいというユーザの要求がある。しかしながら、上記特許文献１および特許文献２を含め、従来の技術においては、このような要求に応えるものではなかった。
本発明は、このような従来の課題を解決するためのものであり、ある種類の情報を再生して発音している状態で、その情報の内容に関連する他の種類の情報をユーザの選択によって再生して発音できるようにすることを目的とする。
【課題を解決するための手段】
【０００５】
請求項１に記載の情報再生装置は、記録媒体（実施形態においては、図１のＣＤ５１に相当する）の異なるエリア（実施形態においては、図２又は図７のトラックＮｏ．１のエリアと、トラックＮｏ．１０１および１０３のエリアとに相当する）に記録されている第１の情報（実施形態においては、図２および図７のオーディオデータに相当する）および第２の情報（実施形態においては、単語Ａの解説又は単語Ａおよび単語Ｂの解説に相当する）を再生して出力する第１の再生手段（実施形態においては、図１のＣＤプレーヤ５の再生回路５５に相当する）と、第１の再生手段による第１の情報の再生に伴って当該第１の情報に含まれている特定の内容（実施形態においては、図２の単語Ａ又は図７の単語Ａおよび単語Ｂに相当する）と第２の情報とを関連させるリンク情報（実施形態においては、図２および図７のサブコードに相当する）を再生して出力する第２の再生手段（実施形態においては、図１のＣＤプレーヤ５の再生回路５６に相当する）と、第１の再生手段による第１の情報の再生中に、所定の操作手段（実施形態においては、図１のスイッチ部６に相当する）からの第１の変更操作（実施形態においては、リンク選択スイッチの操作に相当する）に応じて、リンク情報によって決定されるリンク先となる第２の情報を再生するように第１の再生手段に対して指示し、第１の再生手段による第２の情報の再生中の操作手段からの第２の変更操作（実施形態においては、リターンスイッチの操作に相当する）、および第１の再生手段による第２の情報の再生終了の少なくとも一方に応じて、リンク元となる第１の情報を再生するように第１の再生手段に対して指示する再生制御手段（実施形態においては、図１のＣＰＵ１に相当する）と、を備えた構成になっている。
【０００６】
請求項１の情報再生装置において、請求項２に記載したように、第１の情報は複数系統の情報（実施形態においては、図７のＬチャンネルおよびＲチャンネルのオーディオデータに相当する）で構成され、第２の再生手段は、第１の再生手段による第１の情報の再生に伴って各系統の情報にそれぞれ含まれている特定の内容（実施形態においては、Ｌチャンネルの単語ＡおよびＲチャンネルの単語Ｂに相当する）と他のエリアに記録されている第２の情報（実施形態においては、単語Ａの解説および単語Ｂの解説に相当する）とを一意に関連させる系統別のリンク情報を再生して出力し、再生制御手段は、第１の再生手段による第１の情報の再生中に１系統の第１の変更操作（実施形態においては、Ｌチャンネルリンク選択スイッチ又はＲチャンネルリンク選択スイッチの操作に相当する）に応じて、当該１系統のリンク情報によって決定されるリンク先となる第２の情報を再生するように第１の再生手段に対して指示するような構成にしてもよい。
【０００７】
請求項１の情報再生装置において、請求項３に記載したように、第１の再生手段は、同一の記録媒体に記録されている第１の情報および第２の情報を再生するような構成にしてもよい。
請求項１の情報再生装置において、請求項４に記載したように、第１の再生手段は、それぞれ異なる記録媒体に記録されている第１の情報および第２の情報を再生するような構成にしてもよい。
請求項１の情報再生装置において、請求項５に記載したように、再生制御手段は、第１の再生手段に対して第２の情報を再生するように指示したときは、第１の情報における特定のアドレス（実施形態においては、図３のスタックにプッシュされたＴＲＫおよびＴＩＭＥに相当する）を記憶し、第１の再生手段に対して第１の情報を再生するように指示したときは、当該記憶したアドレスから再生するように指示するような構成にしてもよい。
請求項１の情報再生装置において、請求項６に記載たように、第２の再生手段は、再生したリンク情報の有効区間を所定の表示手段（実施形態においては、図１の表示部７に相当する）に出力して表示させるような構成にしてもよい。
請求項１の情報再生装置において、請求項７に記載したように、第２の再生手段は、再生したリンク情報の有効区間を所定の発音手段（実施形態においては、図１の音源部８に相当する）に出力して発音させるような構成にしてもよい。
請求項１の情報再生装置において、請求項８に記載したように、第２の再生手段は、発音手段で発音中の第１の情報に効果音を付加して、再生したリンク情報の有効区間を通知するような構成にしてもよい。
【０００８】
請求項９に記載の情報再生処理のプログラムは、記録媒体（実施形態においては、図１のＣＤ５１に相当する）の異なるエリア（実施形態においては、図２又は図７のトラックＮｏ．１のエリアと、トラックＮｏ．１０１および１０３のエリアとに相当する）に記録されている第１の情報（実施形態においては、図２および図７のオーディオデータに相当する）および第２の情報（実施形態においては、単語Ａの解説又は単語Ａおよび単語Ｂに相当する）を再生して出力する第１のステップと、第１のステップによる第１の情報の再生に伴って当該第１の情報に含まれている特定の内容（実施形態においては、図２の単語Ａ又は図７の単語Ａおよび単語Ｂに相当する）と第２の情報とを関連させるリンク情報（実施形態においては、図２又は図７のサブコードに相当する）を再生して出力する第２のステップと、第１のステップによる第１の情報の再生中に、所定の操作手段（実施形態においては、図１のスイッチ部６に相当する）からの第１の変更操作（実施形態においては、リンク選択スイッチの操作に相当する）に応じて、リンク情報によって決定されるリンク先となる第２の情報を再生するように第１のステップに対して指示し、第１のステップによる第２の情報の再生中の操作手段からの第２の変更操作（実施形態においては、リターンスイッチの操作に相当する）、および第１のステップによる第２の情報の再生終了の少なくとも一方に応じて、リンク元となる第１の情報を再生するように第１のステップに対して指示する第３のステップと、を実行する構成になっている。
【０００９】
請求項９の情報再生処理のプログラムにおいて、請求項１０に記載したように、第１の情報は複数系統の情報（実施形態においては、図７のＬチャンネルおよびＲチャンネルのオーディオデータに相当する）で構成され、第２のステップは、第１のステップによる第１の情報の再生に伴って各系統の情報にそれぞれ含まれている特定の内容（実施形態においては、Ｌチャンネルの単語ＡおよびＲチャンネルの単語Ｂに相当する）と他のエリアに記録されている第２の情報（実施形態においては、単語Ａの解説および単語Ｂの解説に相当する）とを一意に関連させる系統別のリンク情報を再生して出力し、第３のステップは、第１のステップによる第１の情報の再生中に１系統の第１の変更操作（実施形態においては、Ｌチャンネルリンク選択スイッチ又はＬチャンネルリンク選択スイッチの操作に相当する）に応じて、当該１系統のリンク情報によって決定されるリンク先となる第２の情報を再生するように第１のステップに対して指示するような構成にしてもよい。
【００１０】
請求項９の情報再生処理のプログラムにおいて、請求項１１に記載したように、第１のステップは、同一の記録媒体に記録されている第１の情報および第２の情報を再生するような構成にしてもよい。
請求項９の情報再生処理のプログラムにおいて、請求項１２に記載したように、第１のステップは、それぞれ異なる記録媒体に記録されている第１の情報および第２の情報を再生するような構成にしてもよい。
請求項９の情報再生処理のプログラムにおいて、請求項１３に記載したように、第４のステップは、第１のステップに対して第２の情報を再生するように指示したときは、第１の情報における特定のアドレス（実施形態においては、図３においてプッシュされたＴＲＫおよびＴＩＭＥに相当する）を所定の記憶手段（実施形態においては、図１のＲＡＭ３において図３に示したスタックに相当する）に記憶し、第１のステップに対して第１の情報を再生するように指示したときは、当該記憶したアドレスから再生するように指示するような構成にしてもよい。
請求項９の情報再生処理のプログラムにおいて、請求項１４に記載したように、第２のステップは、再生したリンク情報の有効区間を所定の表示手段（実施形態においては、図１の表示部７に相当する）に出力して表示させるような構成にしてもよい。
請求項９の情報再生処理のプログラムにおいて、請求項１５に記載したように、第２のステップは、再生したリンク情報の有効区間を所定の発音手段（実施形態においては、図１の音源部８に相当する）に出力して発音させるような構成にしてもよい。
請求項９の情報再生処理のプログラムにおいて、請求項１６に記載したように、第２のステップは、発音手段で発音中の第１の情報に効果音を付加して、再生したリンク情報の有効区間を通知するするような構成にしてもよい。
【００１１】
請求項１７に記載の記録媒体は、第１の情報（実施形態においては、図２又は図７のオーディオデータに相当する）を記録した第１のエリア（実施形態においては、図２又は図７のトラックＮｏ．１に相当する）と、当該第１の情報の再生に伴って当該第１の情報に含まれている特定の内容（実施形態においては、図２の単語Ａ又は図７の単語Ａおよび単語Ｂに相当する）と第２の情報とを関連させるリンク情報（実施形態においては、図２又は図７のサブコードに相当する）を記録している第２のエリア（実施形態においては、図２又は図７のサブコードのトラックに相当する）と、を有する。
【００１２】
請求項１７の記録媒体において、請求項１８に記載したように、第２の情報を記録している第３のエリア（実施形態においては、図２又は図７のトラックＮｏ．１０１および１０３に相当する）を有するような構成にしてもよい。あるいは、請求項１９に記載したように、リンク情報は、第１の情報における特定の内容と他の記録媒体に記録されている前記第２の情報とをリンクさせているような構成にしてもよい。
【発明の効果】
【００１３】
本発明の情報再生装置、情報再生処理のプログラム、および記録媒体によれば、ある種類の情報を再生して発音している状態で、その情報の内容に関連する他の種類の情報をユーザの選択によって再生して発音できるという効果が得られる。
【発明を実施するための最良の形態】
【００１４】
以下、本発明の実施形態について、外国語の会話などの音声データを記録したＣＤを再生する情報再生装置を例に採って説明する。
図１は、実施形態における情報再生装置の構成を示すブロック図である。ＣＰＵ１は、システムバスを介して、ＲＯＭ２、ＲＡＭ３、インタフェース４、スイッチ部６、表示部７、音源部８に接続されている。
【００１５】
ＲＯＭ２は、ＣＰＵ１によって実行される情報再生処理のプログラム、初期処理におけるデフォルトのデータなどをあらかじめ記憶している。ＲＡＭ３は、ＣＰＵ１のワークエリアであり、ＣＰＵ１によって処理されるデータを一時的に記憶するためのエリアが設けられている。例えば、各種のレジスタ、フラグ、スタックのエリアなどが設けられている。インタフェース４はＣＤプレーヤ５に接続され、ＣＰＵ１とＣＤプレーヤ５の間でコマンドおよびデータの授受を中継する。
ＣＤプレーヤ５は、ＣＤ５１に記録されているデータを再生するために、ＣＤ５１を回転駆動するスピンドルモータ５２、ＣＤ５１の複数のトラックから記録データを読み取る光ピックアップ５３、これらを駆動するサーボ回路５４、読み取られた記録データを復調してオーディオデータを再生する再生回路５５、ＣＤ５１の最内周のトラックに記録されているＴＯＣ（テーブル・オブ・コンテンツ）に含まれているサブコードを復調して再生する再生回路５６、サーボ回路５４を含めＣＤプレーヤ５全体を制御するとともに、再生回路５５からオーディオデータを入力し、再生回路５６からサブコードのデータを入力するＣＤ制御部５７、および、インタフェース４に接続するインタフェース５８を備えている。
【００１６】
スイッチ部６は、ＣＤ５１のトラックを選択するトラック選択スイッチ、プレイスイッチ、リンク選択スイッチ、リターンスイッチなどが設けられている。各スイッチの機能については後述する。表示部７は、インタフェース４から得られるオーディオデータやサブコードの内容や後述するリンク有効区間などを表示する。音源部８は、インタフェース４から得られるオーディオデータやサブコードに応じて音声信号を生成するとともに、リンク有効区間の開始および終了の音声信号を生成して、これらの音声信号をサウンドシステム９に出力する。なお、音源部８に音声合成ＩＣなどを設けて、リンク有効区間の音声メッセージを発音できるようにしてもよい。サウンドシステム９は、Ｄ／Ａコンバータ回路、エフェクト回路、フィルタ回路、増幅回路などを備えており、音源部８から出力された音声信号をディジタルからアナログに変換し、不要な高周波成分を除去し、必要に応じてリンク有効区間を通知するための効果音を付加し、これらの処理の後、増幅した音声信号をスピーカ１０から発音させる。
【００１７】
次に、図１の情報再生装置の動作について、図２ないし図６を参照して説明する。
図２は、ＣＤ５１の複数のトラック（Ｎｏ．１、Ｎｏ．２…Ｎｏ．１０１、Ｎｏ．１０２、Ｎｏ．１０３…）に記録されている会話のオーディオデータや他のデータ、およびサブコードのトラックに記録されているデータの構成を示す図である。
図２において、トラックＮｏ．１（会話１）において単語Ａの再生中にリンク選択スイッチがオンにされると、サブコードに記録されているリンク先のトラックＮｏ．１０１（単語Ａの解説）の先頭に再生ポイントを移動し、その位置から再生を続行する。さらに、トラックＮｏ．１０１において単語Ｂ（単語Ａの同義語）の再生中にリンク選択スイッチがオンにされると、サブコードに記録されているリンク先のトラックＮｏ．１０３（単語Ｂの解説）の先頭に再生ポイントを移動し、その位置から再生を続行する。
【００１８】
トラックＮｏ．１０３の再生途中でリターンスイッチがオンにされたときは、リンク元のトラックＮｏ．１０１に再生ポイントを戻して、その位置から再生を続行する。また、この図には示していないが、トラックＮｏ．１０３の再生が終了したときも、リンク元のトラックＮｏ．１０１に再生ポイントを戻して、その位置から再生を続行する。そして、トラックＮｏ．１０１の再生が終了したときは、リンク元のトラックＮｏ．１に再生ポイントを戻して、その位置から再生を続行する。また、この図には示していないが、トラックＮｏ．１０１の再生途中でリターンスイッチがオンにされたときも、リンク元のトラックＮｏ．１に再生ポイントを戻して、その位置から再生を続行する。
【００１９】
図３は、ＲＡＭ３のスタックのエリアを示す図である。スタックは初期処理においてクリアされており、スタックポインタＳＰは０にセットされている。そして、任意のトラックの再生中にリンク選択スイッチがオンにされて、リンク先のトラックに再生ポイントを移動すると、リンク元のトラック番号ＴＲＫをスタックにプッシュ（ストア）して、ＳＰの値を１つインクリメントする。さらに、リンク元のトラックの先頭からの経過時間ＴＩＭＥをスタックにプッシュして、ＳＰの値を１つインクリメントする。
【００２０】
図４は、ＣＤ５１のサブコードにおいて、ユーザーズビットに記録されたシステムエクスクルーシブとしてのリンク情報格納用ＭＩＤＩデータのフォーマットを示す図である。この図において、Ｆ０はシステムエクスクルーシブ先頭を表わし、Ｆ７はシステムエクスクルーシブ終端を表わしている。このＦ０とＦ７との間に、ＩＤ番号などを有するＨＥＡＤＥＲのデータと、リンク先のトラック番号であるＴＲＫのデータである１０１、１０３などが記録されている。ただし、リンク先のトラック番号がない場合には、ＴＲＫには−１が記録されている。
【００２１】
図５は、ＣＰＵ１が実行する情報再生処理のメインルーチンにおいて、スイッチ部６のいずれかのスイッチがオンされたときのスイッチ処理のフローチャートである。このフローにおいては、オンされたスイッチを検索して、以下に記述するように、そのスイッチに対応する処理を行う。
トラック選択スイッチがオンされたか否かを判別し（ステップＳＡ１）、このスイッチがオンされたときは、選択トラックをレジスタＴＲＫにストアする（ステップＳＡ２）。プレイスイッチがオンされたか否かを判別し（ステップＳＡ３）、このスイッチがオンされたときは、フラグＰＬＡＹを反転する（ステップＳＡ４）。そして、ＰＬＡＹが１に反転されたか否かを判別する（ステップＳＡ５）。ＰＬＡＹが１に反転されたときは、ＴＲＫにストアされた選択トラックの先頭からオーディオデータを再生して発音開始処理を行う（ステップＳＡ６）。一方、ＰＬＡＹが０に反転されたときは、再生して発音しているオーディオデータに対する発音終了処理を行う（ステップＳＡ７）。
【００２２】
リンク選択スイッチがオンされたか否かを判別し（ステップＳＡ８）、このスイッチがオンされたときは、さらに、ＰＬＡＹが１で、且つリンク有効区間であるか否かを判別する（ステップＳＡ９）。ＰＬＡＹが１でリンク有効区間である場合には、現在発音中のトラックのオーディオデータに対する発音終了処理を行い、そのトラック番号ＴＲＫと先頭からの経過時間ＴＩＭＥをスタックにプッシュして、スタックポインタＳＰを更新し、レジスタＴＲＫにリンク先のトラック番号をストアし、リンク先のトラックの発音開始処理を行う（ステップＳＡ１０）。
【００２３】
リターンスイッチがオンされたか否かを判別し（ステップＳＡ１１）、このスイッチがオンされたときは、さらに、ＰＬＡＹが１で、且つＳＰが０より大きい（スタックにリンク元のＴＲＫがある）か否かを判別する（ステップＳＡ１２）。ＰＬＡＹが１でＳＰが０より大きい場合には、現在発音中のトラックのオーディオデータに対する発音終了処理を行い、リンク元のトラック番号ＴＲＫと先頭からの経過時間ＴＩＭＥをスタックからポップ（読出処理）して、スタックポインタＳＰを更新し、リンク元のトラックのＴＩＭＥに対応するアドレスに戻って、リンク元のトラックの発音開始処理を行う（ステップＳＡ１３）。
【００２４】
図６は、メインルーチンにおいて、一定時間間隔の割込み処理として実行されるタイマ処理のフローチャートである。まず、フラグＰＬＡＹが１（発音処理中）であるか否かを判別し（ステップＳＢ１）、ＰＬＡＹが０（発音終了中）である場合にはメインルーチンに戻るが、ＰＬＡＹが１のときは、再生中のトラックＴＲＫのアドレスを歩進させる発音更新処理を行う（ステップＳＢ２）。そして、トラックＴＲＫの終了位置に達したか否かを判別する（ステップＳＢ３）。ＴＲＫの終了位置に達したときは、発音終了処理を行って（ステップＳＢ４）、ＳＰが０より大きいか否かを判別する（ステップＳＢ５）。すなわち、スタックにリンク元のトラック番号ＴＲＫがプッシュされているか否かを判別する。
【００２５】
ＳＰが０でリンク元のトラック番号ＴＲＫがプッシュされていない場合には、ＰＬＡＹを０にリセットして（ステップＳＢ６）、メインルーチンに戻る。ステップＳＢ５においてＳＰが０より大きく、スタックにリンク元のトラック番号ＴＲＫがプッシュされている場合には、そのＴＲＫ、先頭からの経過時間ＴＩＭＥをスタックからポップして、ＳＰを更新し、ＴＩＭＥに対応するアドレスに戻って、リンク元のトラックの発音開始処理を行う（ステップＳＢ７）。
【００２６】
このステップＳＢ７の処理後、又は、ステップＳＢ３においてＴＲＫの終了位置に達していない場合には、リンク有効区間が開始したか否かを判別し（ステップＳＢ８）、リンク有効区間が開始したときは、区間開始時の発音処理および表示処理を行う（ステップＳＢ９）。例えば、図２において、単語Ａのリンク有効区間が開始したときは、音声メッセージでその旨を通知したり、発音中の会話の音声に対してエフェクト回路によって効果音を付加する。また、表示部７に時間の経過に応じて変化する砂時計のイラストなどを表示する。ステップＳＢ９の処理後はメインルーチンに戻る。ステップＳＢ８において、リンク有効区間の開始でない場合には、リンク有効区間が終了したか否かを判別し（ステップＳＢ１０）、リンク有効区間が終了したときは、区間終了時の発音処理および表示処理を行う（ステップＳＢ１１）。この後、又は、ステップＳＢ１０においてリンク有効区間の終了でない場合には、メインルーチンに戻る。
【００２７】
図７は、ＣＤ５１に記録されている会話のオーディオデータがＬチャンネルとＲチャンネルの２系統の場合であり、トラックＮｏ．１（会話１）のＬチャンネルのトラックには単語Ａが含まれ、Ｒチャンネルのトラックには単語Ｂが含まれており、さらに、各トラックにおける単語Ａと単語Ｂの記録位置が部分的に重なっている。なお、スイッチ部６には、Ｌチャンネルのリンク選択スイッチおよびＲチャンネルのリンク選択スイッチが設けられている。
【００２８】
図７において各トラックの再生中に、Ｌチャンネルリンク選択スイッチがオンにされると、サブコードに記録されているリンク先のトラックＮｏ．１０１（単語Ａの解説）の先頭に再生ポイントを移動し、その位置から再生を続行する。一方、Ｒチャンネルリンク選択スイッチがオンにされると、サブコードに記録されているリンク先のトラックＮｏ．１０３（単語Ｂの解説）の先頭に再生ポイントを移動し、その位置から再生を続行する。
【００２９】
そして、トラックＮｏ．１０１の再生途中でリターンスイッチがオンにされたときは、リンク元のＬチャンネルのトラックＮｏ．１に再生ポイントを戻して、その位置から再生を続行する。また、この図には示していないが、トラックＮｏ．１０１の再生が終了したときも、リンク元のＬチャンネルのトラックＮｏ．１に再生ポイントを戻して、その位置から再生を続行する。また、トラックＮｏ．１０３の再生が終了したときは、リンク元のＲチャンネルのトラックＮｏ．１に再生ポイントを戻して、その位置から再生を続行する。また、この図には示していないが、トラックＮｏ．１０３の再生途中でリターンスイッチがオンにされたときも、リンク元のＲチャンネルのトラックＮｏ．１に再生ポイントを戻して、その位置から再生を続行する。
【００３０】
オーディオデータがＬチャンネルとＲチャンネルの２系統の場合には、図４に示したリンク情報格納用ＭＩＤＩデータは、ＬチャンネルとＲチャンネルとで別々に２種類用意するか、又は、１種類のデータにＬチャンネルおよびＲチャンネルの２個分のＴＲＫを格納する。また、図５のスイッチ処理のステップＳＡ８ないしステップＳＡ１０において、Ｌチャンネルリンク選択スイッチがオンされたときは、Ｌチャンネルのリンク有効区間の場合にＴＲＫ、ＴＩＭＥをスタックにプッシュする。同様に、Ｒチャンネルリンク選択スイッチがオンされたときは、Ｒチャンネルのリンク有効区間の場合にＴＲＫ、ＴＩＭＥをスタックにプッシュする。
【００３１】
次に、実施形態の変形例について説明する。
変形例においては、ＣＤに複数のパートからなる楽曲のデータが記録されている。この場合のリンク情報は各パートに対応している。したがって、リンク選択スイッチもパートごとに設けられている。あるいは、パートごとに設けられたパート選択スイッチと１個のリンク選択スイッチを同時にオンにする。例えば、楽曲のデータがギター、ベース、ドラムの３つのパートで構成されている場合には、ギターリンク選択スイッチ、ベースリンク選択スイッチ、ドラムリンク選択スイッチの中で、いずれか１つのリンク選択スイッチがオンされたときは、そのスイッチに対応するパートのみが記録されているリンク先のトラックに再生ポイントを移動する。
したがって、複数のパートからなる楽曲の発音中において、特定のパートを指定して、そのパートの演奏を分析することができる。
【００３２】
以上のように、上記実施形態においては、インタフェース４は、ＣＤ５１のトラックＮｏ．１に記録されているオーディオデータを再生して音源部８に出力する再生回路５５と、再生回路５５によるオーディオデータの再生に伴って、当該オーディオデータに含まれている単語ＡとトラックＮｏ．１０１に記録されている単語Ａの解説とを関連させるリンク情報を再生して出力する再生回路５６とを備えている。ＣＰＵ１は、再生回路５５によるオーディオデータの再生中に、スイッチ部６からのリンク選択スイッチの操作に応じて、リンク情報によって決定されるリンク先となる単語Ａの解説を再生するように再生回路５５に対して指示し、再生回路５５による単語Ａの解説の再生中に、スイッチ部６からのリターンスイッチの操作に応じて、又は、再生回路５５による単語Ａの解説の再生終了に応じて、リンク元となるオーディオデータを再生するように再生回路５５に対して指示する。
したがって、会話のオーディオデータを再生して発音している状態で、そのオーディオデータの単語Ａに関連する解説をユーザの選択によって再生して発音することができる。
【００３３】
さらに、ＣＰＵ１は、再生回路５５による単語Ａの解説の再生中に、スイッチ部６からのリンク選択スイッチの操作に応じて、リンク情報によって決定されるリンク先となる単語Ａの同義語を再生するように再生回路５５に対して指示し、再生回路５５による同義語の再生中に、スイッチ部６からのリターンスイッチの操作に応じて、又は、再生回路５５による同義語の再生終了に応じて、リンク元となる単語Ａの解説を再生するように再生回路５５に対して指示する。
したがって、単語Ａの解説を再生して発音している状態で、単語Ａの同義語をユーザの選択によって再生して発音することもできる。
【００３４】
また、上記実施形態において、オーディオデータはＬチャンネルおよびＲチャンネルの２系統の情報で構成され、再生回路５６は、再生回路５５によるオーディオデータの再生に伴って、各系統のオーディオデータにそれぞれ含まれている単語Ａおよび単語Ｂと、トラックＮｏ．１０１の単語Ａの解説およびトラックＮｏ．１０３の単語Ｂの解説とを、一意に関連させる系統別のリンク情報を再生して出力し、ＣＰＵ１は、再生回路５５によるオーディオデータの再生中に、Ｌチャンネルリンク選択スイッチの操作又はＲチャンネルリンク選択スイッチの操作に応じて、Ｌチャンネル又はＲチャンネルのリンク情報によって決定されるリンク先となる単語Ａの解説又は単語Ｂの解説を再生するように再生回路５５に対して指示する。
このように、ＣＤ５１に記録される情報は１系統だけとは限らないし、変形例に記載したように、３系統のリンク元の情報が記録されている場合もあれば、あるいは、４系統以上のリンク元の情報が記録されている場合もある。いずれの場合においても、リンク情報によってリンク元の情報とリンク先の情報とを一意且つ双方向にリンクして、再生ポイントを移動することができる。
【００３５】
上記実施形態においては、再生回路５５は、同一のＣＤ５１において、リンク元のトラックＮｏ．１に記録されているオーディオデータの再生中において、リンク先のトラックＮｏ．１０１に記録されている単語Ａの解説を再生し、さらに、リンク元のトラックＮｏ．１０１に記録されている単語Ａの解説の再生中において、リンク先のトラックＮｏ．１０３に記録されている単語Ａの同義語を再生する構成にしたので、リンク元からリンク先あるいはリンク先からリンク元に迅速に移動できる。
【００３６】
他の実施形態として、再生回路５５は、オートチェンジャのように、複数のＣＤにアクセスして再生する構成も可能である。すなわち、リンク元のＣＤに記録されている第１の情報を再生し、リンク先の他のＣＤに記録されている第２の情報を再生する構成も可能である。このような構成によれば、膨大な情報同士を一意且つ双方向にリンクさせることができる。
【００３７】
上記実施形態においては、ＣＰＵ１は、再生回路５５に対して単語Ａの解説を再生するように指示したときは、会話１のオーディオデータにおけるトラック番号ＴＲＫおよびそのトラックの先頭からの経過時間ＴＩＭＥを特定のアドレスとしてＲＡＭ３のスタックにプッシュし、再生回路５５に対して会話１のオーディオデータを再生するように指示したときは、スタックからポップしたＴＲＫおよびＴＩＭＥのアドレスから再生するように指示する。したがって、再生を中断したリンク元の正確な位置に戻ることができる。
【００３８】
また、上記実施形態においては、再生回路５６は、再生したリンク情報を表示部７に出力して表示させるとともに、音源部８に出力して発音させる。したがって、ユーザは、音声や画面によってリンク有効区間を容易に認識することができる。さらに、音源部８に出力して発音させる際に、発音中のオーディオデータの音声に効果音を付加して、再生したリンク情報の有効区間を通知する構成も可能である。したがって、ユーザはより一層、効果音によってリンク有効区間を容易に認識することができる。
【００３９】
なお、上記実施形態においては、ＲＯＭ２にあらかじめ記憶された情報再生処理のプログラムをＣＰＵ１が実行する装置の発明について説明したが、その再生する情報を記録したＣＤに情報再生処理のプログラムを記録しておいて、ＣＰＵ１がそのプログラムを読み出して実行する構成も可能である。あるいは、ＣＤやその他のフレキシブルディスク（ＦＤ）、ＭＤなどの記憶媒体に記録されている情報再生処理のプログラムをハードディスクなどの不揮発性メモリにインストールしたり、インターネットなどのネットワークからダウンロードした情報再生処理のプログラムを不揮発性メモリにインストールして、その情報再生処理のプログラムをＣＰＵ１が実行することも可能である。このような場合には、プログラムの発明を実現できる。
また、その情報再生処理のプログラムを記録した記録媒体の発明を実現できる。さらに、その情報再生処理のプログラムとともに、その再生する情報自体を記録した記録媒体の発明を実現できる。
【００４０】
本発明による情報再生処理のプログラムは、
記録媒体の異なるエリアに記録されている第１の情報および第２の情報を再生して出力する第１のステップと、前記第１のステップによる前記第１の情報の再生に伴って当該第１の情報に含まれている特定の内容と前記第２の情報とを関連させるリンク情報を再生して出力する第２のステップと、前記第１のステップによる前記第１の情報の再生中に、所定の操作手段からの第１の変更操作に応じて、前記リンク情報によって決定されるリンク先となる前記第２の情報を再生するように前記第１のステップに対して指示し、前記第１のステップによる前記第２の情報の再生中の前記操作手段からの第２の変更操作、および前記第１のステップによる前記第２の情報の再生終了の少なくとも一方に応じて、リンク元となる前記第１の情報を再生するように前記第１のステップに対して指示する第３のステップと、を実行する。
【００４１】
前記第１の情報は複数系統の情報で構成され、前記第２のステップは、前記第１のステップによる前記第１の情報の再生に伴って各系統の情報にそれぞれ含まれている特定の内容と他のエリアに記録されている第２の情報とを一意に関連させる系統別のリンク情報を再生して出力し、前記第３のステップは、前記第１のステップによる前記第１の情報の再生中に１系統の第１の変更操作に応じて、当該１系統のリンク情報によって決定されるリンク先となる第２の情報を再生するように前記第１のステップに対して指示する。
【００４２】
前記第１のステップは、同一の記録媒体に記録されている前記第１の情報および前記第２の情報を再生する。
前記第１のステップは、それぞれ異なる記録媒体に記録されている前記第１の情報および前記第２の情報を再生する。
前記第４のステップは、前記第１のステップに対して前記第２の情報を再生するように指示したときは、前記第１の情報における特定のアドレスを所定の記憶手段に記憶し、前記第１のステップに対して前記第１の情報を再生するように指示したときは、当該記憶したアドレスから再生するように指示する。
前記第２のステップは、再生したリンク情報の有効区間を所定の表示手段に出力して表示させる。
前記第２のステップは、再生したリンク情報の有効区間を所定の発音手段に出力して発音させる。
前記第２のステップは、前記発音手段で発音中の前記第１の情報に効果音を付加して、再生したリンク情報の有効区間を通知する。
【００４３】
また、本発明による記録媒体は、
第１の情報を記録した第１のエリアと、当該第１の情報の再生に伴って当該第１の情報に含まれている特定の内容と第２の情報とを関連させるリンク情報を記録している第２のエリアと、を有する。
この記録媒体は、前記第２の情報を記録している第３のエリアを有する。あるいは、前記リンク情報は、前記第１の情報における特定の内容と他の記録媒体に記録されている前記第２の情報とをリンクさせている。
【図面の簡単な説明】
【００４４】
【図１】本発明の情報再生装置の構成を示すブロック図。
【図２】図１のＣＤに記録されたオーディオデータおよびリンク情報であるサブコードの内容を示す図。
【図３】図１のＲＡＭにおけるスタック構成を示す図。
【図４】図１のＣＤに記録されたサブコードのＭＩＤＩデータフォーマットを示す図。
【図５】図１のＣＰＵによって実行されるスイッチ処理のフローチャート。
【図６】図１のＣＰＵによって実行されるタイマ処理のフローチャート。
【図７】図１のＣＤに記録された２チャンネルのオーディオデータおよびリンク情報であるサブコードの内容を示す図。。
【符号の説明】
【００４５】
１  ＣＰＵ
２  ＲＯＭ
３  ＲＡＭ
４  インタフェース
５  ＣＤ
６  スイッチ部
７  表示部
８  音源部
９  サウンドシステム
１０  スピーカ
【図１】
2006107608.tif 000003
【図２】
2006107608.tif 000004
【図３】
2006107608.tif 000005
【図４】
2006107608.tif 000006
【図５】
2006107608.tif 000007
【図６】
2006107608.tif 000008
【図７】
2006107608.tif 000009